(57)【要約】【課題】表示ユニットを備える電子機器において、表示ユニットと電子機器の本体とを接続するフレキシブル配線板の余長を短く抑え、フレキシブル配線板と他の部品との干渉を抑制する。【解決手段】本体１ａの背面側に表示ユニット２０が取り付けられたデジタルカメラ１は、表示ユニット２０を本体１ａに対して回転自在に軸支すると共に、トーションバネ３４によって表示ユニット２０を回転軸から離れる第１の方向に付勢して、表示ユニット２０を進退自在に保持するヒンジユニット３０と、本体１ａと表示ユニット２０とを接続するフレキシブル配線板２５とを備える。フレキシブル配線板２５は、第１の折り返し部２５ｄにて折り返した状態で表示ユニット２０の内部に収容され、フレキシブル配線板２５の第１の折り返し部２５ｄを第１の方向へ付勢する線バネ６５を表示ユニット２０の内部に配置する。【選択図】図３
2015144363.tif 000002
【特許請求の範囲】
【請求項１】
本体に表示装置が取り付けられた電子機器であって、
前記表示装置を前記本体に対して回転自在に軸支すると共に、前記表示装置を軸支する回転軸から離れる第１の方向に前記表示装置をスライド可能に保持するヒンジユニットと、
前記本体と前記表示装置とを接続するフレキシブル配線板と、を備え、
前記フレキシブル配線板は、折り返し部にて折り返した状態で前記表示装置の内部に収容され、
前記表示装置の内部に、前記フレキシブル配線板の前記折り返し部を前記第１の方向へ付勢する第１の付勢部材を有することを特徴とする電子機器。
【請求項２】
前記第１の付勢部材は、前記折り返し部を前記第１の方向へ押すバネ部材または前記折り返し部を前記第１の方向へ引っ張る弾性部材であることを特徴とする請求項１に記載の電子機器。
【請求項３】
前記ヒンジユニットは、前記表示装置の表示画面が前記本体の背面側を向いた状態と前記本体の正面側を向いた状態との間で遷移することができるように、前記本体に対して略１８０°の角度の範囲内で回転自在に前記表示装置を軸支することを特徴とする請求項１又は２に記載の電子機器。
【請求項４】
前記表示装置の内部に、前記表示装置を前記第１の方向に付勢する第２の付勢部材を有し、
前記第２の付勢手段は、前記表示装置の厚さ方向において前記フレキシブル配線板と重ならないように配置されていることを特徴とする請求項１乃至３のいずれか１項に記載の電子機器。
【請求項５】
前記ヒンジユニットは、
前記本体と前記表示装置とを可動に連結する第１のプレート部材と、
前記第１のプレート部材に対して回転自在に連結される第２のプレート部材と、
前記第２のプレート部材に対してスライド可能に保持される第３のプレート部材とを有し、
前記第２の付勢手段は、前記第２のプレート部材と前記第３のプレート部材とに係止された状態で前記第２のプレート部材に設けられた凹形状部に収納されていることを特徴とする請求項４に記載の電子機器。
【請求項６】
前記第１のプレート部材は、厚さ方向から見たときに前記第２のプレート部材に設けられた前記凹形状部と重なり合う領域に形成された開口部を有することを特徴とする請求項５に記載の電子機器。
【請求項７】
前記第３のプレート部材は、厚さ方向から見たときに前記第２のプレート部材に設けられた前記凹形状部と重なり合う領域に形成された開口部を有することを特徴とする請求項５又は６に記載の電子機器。
【発明の詳細な説明】
【技術分野】
【０００１】
本発明は、デジタルカメラや携帯情報端末等の電子機器に関し、特に、電子機器本体に対して可動に取り付けられる液晶ディスプレイ等の表示装置の支持構造に関する。
【背景技術】
【０００２】
デジタルカメラ等の撮像装置では、撮影レンズで撮像素子上に光学像を結像させ、撮像素子により光学像を光電変換し、光電変換により得られる画像信号や画像情報を、例えばＪＰＥＧ等のファイル形式の画像データに圧縮して保存している。一般的に、このような撮像装置の背面には、撮影中の被写体像の確認や撮影された画像の再生表示、撮像装置の各種設定を行うためのメニュー表示等に用いられる液晶ディスプレイ（ＬＣＤ）等の表示部が設けられている。
【０００３】
撮像装置の中には、表示部を含む表示ユニットが撮像装置本体に対して回転するように支持されているものがある（例えば、特許文献１参照）。
【先行技術文献】
【特許文献】
【０００４】
【特許文献１】特開平９−１６３１９１号公報
【発明の概要】
【発明が解決しようとする課題】
【０００５】
図１０は、本体に対して表示ユニットが可動に支持されたデジタルカメラ９０の一例の正面図及び側面図である。図１０（ａ），（ｃ）に図示するように、デジタルカメラ９０の本体９１の背面には、表示部９２ａを有する表示ユニット９２が取り付けられている。
【０００６】
デジタルカメラ９０では、図１０（ａ）に図示するように、表示ユニット９２を回転軸Ａから離れるように矢印Ｐ方向（延出方向）に引っ張り出して、表示ユニット９２を回転軸Ａ回りに０〜１８０°の角度範囲で回転させることができるようになっている。図１０（ｂ），（ｃ）には、表示ユニット９２を１８０°回転させて、表示部９２ａを本体９１の前方側に向けた状態が示されており、この状態では、撮影者が自身を液晶パネル９２ａで確認しながら撮影を行う、所謂、自分撮りを容易に行うことができる。
【０００７】
ここで、デジタルカメラ９０の本体９１の上面中央部には、外付けのストロボ発光装置や光学式或いは電子式の外付けファインダ等のアクセサリを装着する為のアクセサリシュー９３が配置されている。また、内蔵式のポップアップストロボ９４が本体９１に収容されている部分（本体９１の前方から見て右側の部分）では、前方から見て左側の部分よりも高くなっている。
【０００８】
この場合、表示ユニット９２を矢印Ｐ方向に引っ張り出す（スライドさせる）ことなく回転させると、表示部９２ａの一部が本体９１の上部で隠れてしまうことになる。しかし、デジタルカメラ９０では、表示ユニット９２を矢印Ｐ方向にスライドさせてから回転させることができるようになっているため、撮影者は表示部９２ａの全体を見ることができる。
【０００９】
しかしながら、表示ユニット９２を収納位置と回転位置（特に１８０°回転させた位置）との間で遷移させるためには、本体９１と表示ユニット９２とを接続するフレキシブル配線板（以下「フレキ板」という）に余長を長く設ける必要が生じる。その場合、表示ユニット９２内へのフレキ板の引き込みが困難になってフレキ板の撓みが大きくなることで、フレキ板にヒンジユニットの構成部品との干渉（接触）による削れや断線が生じて、作動不良等が発生しやすくなるおそれがある。
【００１０】
本発明は、表示ユニット（表示装置）を備える電子機器において、表示ユニットと電子機器の本体とを接続するフレキシブル配線板が表示ユニットの内部で撓まないようにすることを目的とする。
【課題を解決するための手段】
【００１１】
本発明に係る電子機器は、本体に表示装置が取り付けられた電子機器であって、前記表示装置を前記本体に対して回転自在に軸支すると共に、前記表示装置を軸支する回転軸から離れる第１の方向に前記表示装置をスライド可能に保持するヒンジユニットと、前記本体と前記表示装置とを接続するフレキシブル配線板と、を備え、前記フレキシブル配線板は、折り返し部にて折り返した状態で前記表示装置の内部に収容され、前記表示装置の内部に、前記フレキシブル配線板の前記折り返し部を前記第１の方向へ付勢する第１の付勢部材を有することを特徴とする。
【発明の効果】
【００１２】
本発明によれば、表示ユニット（表示装置）を備える電子機器において、表示ユニットと電子機器の本体とを接続するフレキシブル配線板の余長を短く抑えることができる。これにより、フレキシブル配線板と他の部品との干渉を抑制することができる。
【図面の簡単な説明】
【００１３】
【図１】本発明の実施形態に係る撮像装置の一例であるデジタルカメラの正面側斜視図及び背面側斜視図である。
【図２】デジタルカメラの背面側の分解斜視図と、デジタルカメラの本体と表示ユニットとを接続するフレキシブルプリント基板の構造を示す平面図である。
【図３】デジタルカメラが備えるヒンジユニットの分解斜視図である。
【図４】デジタルカメラが備えるヒンジユニットと表示ユニットとの位置関係を示す分解斜視図と、表示ユニットを構成する背面遮光カバーに配置された線バネの構造を示す斜視図である。
【図５】デジタルカメラにおいて表示ユニットが収納位置にあるときの背面側斜視図と、背面側斜視図中の矢視Ｃ−Ｃ断面図である。
【図６】デジタルカメラにおいて表示ユニットを回転させるために表示ユニットを収納位置から移動させたときのデジタルカメラの背面側斜視図と、背面側斜視図中の矢視Ｄ−Ｄ断面図である。
【図７】デジタルカメラの本体に対して表示ユニットを回転軸Ａ回りに略１８０°回転させた状態を示す背面側斜視図と、背面側斜視図中の矢視Ｅ−Ｅ断面図である。
【図８】デジタルカメラの本体に対して表示ユニットを回転軸Ｂ回りに所定角度回転させた状態を示す背面側斜視図と、背面側斜視図中の矢視Ｆ−Ｆ断面図である。
【図９】デジタルカメラが備えるヒンジユニットと別の表示ユニットとの位置関係を示す分解斜視図と、別の表示ユニットを構成する背面遮光カバーに配置された弾性部材の構造を示す斜視図である。
【図１０】本体に対して表示ユニットが可動に支持されたデジタルカメラの一例を示す正面図及び側面図である。
【発明を実施するための形態】
【００１４】
以下、本発明の実施形態について、添付図面を参照して詳細に説明する。ここでは、本発明に係る電子機器として、所謂、コンパクトタイプのデジタルカメラを取り上げることとする。
【００１５】
図１（ａ）は、本発明の実施形態に係るデジタルカメラ１の正面側斜視図である。また、図１（ｂ）は、デジタルカメラ１の背面側斜視図である。図１（ａ）に図示するように、デジタルカメラ１の本体１ａの正面には、鏡筒ユニット２が配置されている。
【００１６】
なお、鏡筒ユニット２は沈胴式のズームレンズであり、デジタルカメラ１が撮影不能状態（電源オフ状態）になると、鏡筒ユニット２が沈胴し、被写体側のレンズはレンズバリア２ａによって保護された状態となる。
【００１７】
デジタルカメラ１の本体１ａの正面側から見て右上方には、内蔵式のポップアップストロボ３が設けられている。一方、デジタルカメラ１の本体１ａの正面側から見て左側の上面には、レリーズボタン４が配置されている。レリーズボタン４の外周には、回転操作型のズームレバー５が設けられている。デジタルカメラ１の本体１ａの正面側から見てズームレバー５の右側には、電源ボタン６が配置されている。また、電源ボタン６の両隣りには、本体１ａに内蔵したマイク（不図示）に音声を取り込むマイク穴７が設けられている。
【００１８】
デジタルカメラ１の本体１ａの正面側から見てズームレバー５の左側には、モード設定ダイヤル８が配置されている。デジタルカメラ１の本体１ａの上面中央部には、外付けのストロボ発光装置や外付けの電子ファインダ等のアクセサリを装着する為のアクセサリシュー１０が設けられている。なお、図１の各図には、アクセサリシュー１０の内部のコネクタを保護するためのシューカバー１０ａが取り付けられた状態が示されている。外付けのストロボ発光装置等のアクセサリをアクセサリシュー１０に装着する際には、シューカバー１０ａを本体１ａの背面側へスライドさせて取り外した後、アクセサリのコネクタ部を背面側から正面側へスライドさせてアクセサリシュー１０に装着する。
【００１９】
デジタルカメラ１の本体１ａの下面には、電池蓋９が配置されている。デジタルカメラ１の本体１ａの側面には、信号入出力端子（不図示）が設けられており、信号入出力端子はジャックカバー１１によって覆われて保護されている。
【００２０】
図１（ｂ）に図示するように、デジタルカメラ１の本体１ａの背面には、被写体像の確認を行う表示装置としての表示ユニット２０が設けられている。表示ユニット２０は、表示部２１を有し、本体１ａに密着した収納位置と図１０に示したデジタルカメラ９０と同様に本体１の正面側に表示部２１が向いた状態との間で、略１８０°回転自在となっている。なお、表示部２１には、撮影した画像の再生表示およびデジタルカメラ１の各種設定を行うためのメニュー表示を行うことができる。
【００２１】
図１（ｂ）に図示するように、デジタルカメラ１の本体１ａの背面には、複数の操作ボタンからなる操作ボタン群１２が設けられている。
【００２２】
次に、デジタルカメラ１における表示ユニット２０及びその周辺の構造について説明する。図２（ａ）は、デジタルカメラ１の背面側の分解斜視図である。表示部２１は、保護窓、静電容量方式等のタッチパネル及び液晶パネルで構成されており、その外形に沿って形成されたロの字形の両面テープ２３によって外装カバー２２に接着される。なお、液晶パネルは有機ＥＬパネル等の表示パネルであってもよい。外装カバー２２に対する表示部２１の組み付け方向とは逆の方向から外装カバー２２に対して背面遮光カバー２４が組み付けられる。
【００２３】
背面遮光カバー２４には、フレキシブル配線板２５（以下「フレキ板２５」と記す）を通過させる開口部２４ａが形成されており、開口部２４ａ以外の部位は、表示部２１の４辺を覆い、表示部２１に対する遮光と補強の役割を担っている。また、背面遮光カバー２４には、表示部２１と背面遮光カバー２４とを接着する両面テープ２６が複数箇所に貼り付けられている。両面テープ２６は、ロの字形の両面テープ２３の接着面積を広く取ることができず、また、厚さを厚くすることができない等の理由から設けられているもので、表示部２１の浮き上がり防止や剥がれ防止を補助する役割を担っている。表示ユニット２０は、ヒンジユニット３０を介して本体１ａの背面側に回転自在に軸支される。
【００２４】
表示ユニット２０は、外装カバー２２に形成された凹部に収納されて、接着固定された磁場発生手段としてのマグネット２７を有する。マグネット２７は、本体１ａ内に配置された磁気センサ（不図示）がマグネット２７の位置を検出することにより、本体１ａに対する表示ユニット２０の状態を検出することができる。磁気センサには、例えば、巨大磁気抵抗（Giant Magnet Resistance:ＧＭＲ）素子や半導体ホール素子が用いられる。本実施形態では、磁気センサにＧＭＲ素子を用い、ＧＭＲ素子が検出する磁気の値に閾値を設定し、マグネット２７の位置によって変化する磁気の値に応じて表示部２１に表示される画像の上下を反転させる。
【００２５】
表示ユニット２０の回転操作の詳細については後述する。図１（ｂ）の状態にある表示ユニット２０を図１０（ｂ）に示す状態となるように回転させたときの回転角度が予め定められた所定の角度を超えたことが検出される。このとき、表示部２１に表示される画像（映像）の上下反転が行われる。表示ユニット２０の回転角度がこの所定角度から略１８０°までの間にあるときには、上下反転された画像（映像）表示状態が維持され、この状態では、表示部２１は、概ね、デジタルカメラ１の正面側を向く。つまり、撮影方向と表示画面の方向が同一方向になるため、撮影者が自分自身を撮影する、所謂、自分撮り撮影に適した状態が維持される。
【００２６】
図２（ｂ）は、フレキ板２５の概略構造を示す平面図である。フレキ板２５は、表示部２１の背面側に配置され、その裏面側が両面テープ（不図示）によって表示部２１に貼り付けられて固定される。フレキ板２５には、表示部２１を駆動させる駆動回路２５ｇ及びコネクタ２５ａ，２５ｂが実装されている。コネクタ２５ａ，２５ｂには、表示部２１から引き出されるフレキ板（不図示）が接続される。フレキ板２５においてコネクタ２５ａ，２５ｂが実装されている側の反対側には、本体１ａの内部に配置された主基板（不図示）と接続される接続端子部２５ｃが形成されている。フレキ板２５は、コネクタ２５ａ，２５ｂ及び接続端子部２５ｃを介して、本体１ａの内部に配置された主基板（不図示）と表示部２１との間で各種の信号の伝達を行う。
【００２７】
フレキ板２５は、第１の折り返し部２５ｄ、第２の折り返し部２５ｅ及び第３の折り返し部２５ｆにて、折り返された状態で表示ユニット２０の内部に収容されている。
【００２８】
図３は、ヒンジユニット３０の分解斜視図である。ヒンジユニット３０は、互いに平行な２つのヒンジ回転軸を備える。本実施形態では、これら２つのヒンジ回転軸のうち、図３中で上方に配置されるヒンジ回転軸を「回転軸Ａ」と定義し、図３中で下方に配置されるヒンジ回転軸を「回転軸Ｂ」と定義する。
【００２９】
図３に図示するように、スタンドプレート３８，３９は、本体部１ａの下側の左右それぞれにビスで締結され、スタンドプレート３８，３９の立ち壁部には、回転軸Ｂと同軸となるように孔部３８ｂ，３９ｂが設けられている。本体１ａと表示ユニット２０とは、本体１ａと一体となるスタンドプレート３８，３９を介してベースプレート３１（第１のプレート部材）によって可動に連結される。そして、ベースプレート３１に対して、アームプレート３２（第２のプレート部材）が、ベースプレート３１に重ね合わせられるように可動に連結される。
【００３０】
図３に図示するように、ベースプレート３１の両端の立ち壁部にはそれぞれ、一対の側面カバー６０，６１が、上下２本のビス６３で締結される。側面カバー６０，６１は、表示ユニット２０を本体１ａに対して動かすと外観に露出する準外観部品であり、そのため、塗装或いは表面シボ加工が施されており、また、回転軸Ｂのカシメ加工痕を覆い隠すように形成されている。
【００３１】
側面カバー６０，６１にはそれぞれ、カム部として傾斜部６０ａ，６１ａと凹形状部６０ｂ，６１ｂとが形成されている。傾斜部６０ａ，６１ａは、本体１ａに表示ユニット２０を収納する際に表示ユニット２０の外装カバー２２のフォロワ部（不図示）に当接し、収納時に作用する押圧力によってフォロワ部が摺動する面となる。そのため、傾斜部６０ａ，６１ａは、摺動面として、シボ加工等の凹凸のない鏡面仕上げとなっている。
【００３２】
本体１ａに表示ユニット２０が収納される際には、外装カバー２２のフォロワ部が凹形状部６０ｂ，６１ｂに係合することにより、表示ユニット２０が本体１ａに保持される。
【００３３】
図３に図示するように、支持ピン４０が、スペーサワッシャ４４、スタンドプレート３８に設けられた孔部３８ｂ、ベースプレート３１に設けられた回転軸孔３１ｂ１及びクリックプレート４２に挿通され、カシメ固定される。同様に、支持ピン４１が、スペーサワッシャ４５、スタンドプレート３９に設けられた孔部３９ｂ、ベースプレート３１に設けられた回転軸孔３１ｂ２及びクリックプレート４３に挿通され、カシメ固定される。これにより、ベースプレート３１は、スタンドプレート３８，３９に対して、回転軸Ｂ回りに回転自在に連結される。ベースプレート３１がクリックプレート４２，４３から回転摩擦抵抗力を受けることで、表示ユニット２０は所定角度の回転位置で摩擦保持される。
【００３４】
図３に図示するように、支持ピン４６が、カバー部材２８、スペーサワッシャ５１、アームプレート３２に設けられた回転軸孔３２ａ１、ベースプレート３１に設けられた回転軸孔３１ａ１及びクリックプレート４８に挿通され、カシメ固定される。同様に、支持ピン４７が、カバー部材２９、スペーサワッシャ５０、アームプレート３２に設けられた回転軸孔３２ａ２、ベースプレート３１に設けられた回転軸孔３１ａ２及びクリックプレート４９に挿通され、カシメ固定される。これにより、アームプレート３２は、ベースプレート３１に対して回転軸Ａ回りに回転自在に連結される。アームプレート３２がクリックプレート４８，４９から回転摩擦抵抗力を受けることで、表示ユニット２０は所定角度の回転位置で摩擦保持される。アームプレート３２には、フレキカバー７０が取り付けられている。フレキカバー７０は、低摩擦な摺動性に優れる樹脂、例えば、ポリアセタール（ＰＯＭ）やポリアミド（ＰＡ）等からなる。
【００３５】
カバー部材２８，２９は、外装カバー２２の切り欠き部からヒンジユニット３０の一部が外観に露出しないように覆い隠す部材であるため、カバー部材２８，２９の外観への露出部には、外装カバー２２と同じ表面処理又はシボ加工が施される。
【００３６】
図３に図示するように、スライドプレート３３（第３のプレート部材）の両端にはそれぞれ、略コの字形のスライダ部材５２が固定され、アームプレート３２の両方の端面３２ｂがそれぞれスライダ部材５２に摺動するように係合される。つまり、スライドプレート３３は、スライダ部材５２を介してアームプレート３２に対してスライド可能に保持される。スライダ部材５２は、低摩擦な摺動性に優れる樹脂、例えば、ポリアセタール（ＰＯＭ）やポリアミド（ＰＡ）等からなる。また、アームプレート３２の両方の端面３２ｂには、摩擦を小さくする表面処理やオイル（グリス）塗布がなされており、これにより摺動性が高められている。
【００３７】
図３に図示するように、アームプレート３２に形成された凹形状部３２ｃには、トーションバネ３４が配置されている。トーションバネ３４の各端部は、アームプレート３２とスライドプレート３３のそれぞれにカシメ加工により設けられた係止ピン３５，３６に係止されている。これにより、トーションバネ３４は、アームプレート３２に対してスライドプレート３３を常に矢印Ｓ方向に付勢する第２の付勢部材として機能する。
【００３８】
図３に図示するように、アームプレート３２の凹形状部３２ｃと重なる領域には、ベースプレート開口部３１ｃとスライドプレート開口部３３ｃとが設けられている。これにより、トーションバネ３４は、ベースプレート３１及びスライドプレート３３と厚さ方向で重なり合うことがないため、ヒンジユニット３０の薄型化を図ることができる。また、トーションバネ３４が伸縮してもベースプレート３１と接触することがなく、スライドプレート３３とも接触しない。
【００３９】
図３に図示するように、スライドプレート３３には、ストッパ部材３７が固定されている。スライドプレート３３をスライドさせると、所定量移動したときに、ストッパ部材３７がアームプレート３２にカシメ固定された係止ピン３５と当接する。これにより、スライドプレート３３のスライドが制限される。ストッパ部材３７は、例えば、ポリアセタール（ＰＯＭ）やポリアミド（ＰＡ）等の樹脂が用いられ、これにより衝突音の軽減と、良好な耐摩耗性の確保が図られている。
【００４０】
図３に図示するように、アームプレート３２の凹形状部３２ｃには、アームプレート３２とスライドプレート３３との電気的接続を確保するためのグランドプレート５５が取り付けられている。グランドプレート５５は、バネ性を有する接点部５５ａを有する。グランドプレート５５は、接点部５５ａがスライドプレート３３のスライド範囲内で常にスライドプレート３３と接触するように配置されている。図２（ａ）に図示した表示ユニット２０は、スライドプレート３３に取り付けられている。
【００４１】
図４（ａ）は、ヒンジユニット３０と表示ユニット２０との位置関係を示す分解斜視図である。なお、図４（ａ）では、表示ユニット２０について、背面遮光カバー２４がスライドプレート３３に取り付けられた状態が示されている。
【００４２】
図４（ａ）に図示するように、背面遮光カバー２４に形成された開口部２４ｂからは、トーションバネ３４が露出している。トーションバネ３４は、フレキ板２５とも厚さ方向で重ならない。これにより、ヒンジユニット３０の薄型化が実現されると共に、トーションバネ３４が伸縮したとしてもフレキ板２５と接触しない。
【００４３】
図４（ａ）に図示するように、背面遮光カバー２４には、付勢部材としての線バネ（バネ部材）６５が配置されている。線バネ６５は、フレキ板２５に挟まれるように配置され、フレキ板２５の第１の折り返し部２５ｄを矢印Ｔ方向に付勢する第１の付勢部材として機能する。図４（ｂ）は、線バネ６５の構造を示す斜視図である。線バネ６５は、取り付け部６５ｂと、第１の折り返し部２５ｄフレキ板付勢部６５ａと、弾性変形する弾性変形部６５ｃとからなる。取り付け部６５ｂは、線バネ６５が背面遮光カバー２４に取り付けられる部分である。フレキ板付勢部６５ａは、線バネ６５が第１の折り返し部２５ｄを付勢する部分である。弾性変形部６５ｃは、取り付け部６５ｂに対してフレキ板付勢部６５ａが矢印Ｑ方向（上下方向）に移動する際に、弾性変形する部分である。なお、フレキ板付勢部６５ａはフレキ板２５に直接接触するため、フレキ板付勢部６５ａには樹脂コーティングを施して、フレキ板２５にダメージを与えないようにしている。樹脂コーティングに代えて、フレキ板付勢部６５ａに保護テープを巻き付けても、同様の効果を得ることができる。
【００４４】
線バネ６５の取り付け部６５ｂは、背面遮光カバー２４に取り付けられた状態では矢印Ｒ方向に付勢力が作用するために、背面遮光カバー２４から外れることはない。弾性変形部６５ｃは、１カ所以上の屈曲（山折りと谷折り）が繰り返された形状となっており、両側で線対称形状をなしている。弾性変形部６５ｃを両側で線対称形状とすることにより、フレキ板付勢部６５ａが、傾くことなく矢印Ｑ方向に動くことが可能になる。弾性変形部６５ｃの屈曲の繰り返し回数を多くすることによってフレキ板付勢部６５ａの移動量を増やすことができる。
【００４５】
図５乃至９を参照して、ヒンジユニット３０による表示ユニット２０のスライド動作と、表示ユニット２０をスライドさせた際のフレキ板２５の撓みの吸収について説明する。
【００４６】
図５（ａ）は、表示ユニット２０がデジタルカメラ１の本体１ａに収納された収納位置にあるときのデジタルカメラ１の背面側斜視図である。図５（ｂ），（ｃ）は、図５（ａ）中の矢視Ｃ−Ｃ断面図であり、図５（ｂ）は表示ユニット２０及びヒンジユニット３０の上側部分を、図５（ｃ）は表示ユニット２０及びヒンジユニット３０の下側部分をそれぞれ示している。図５（ａ）に図示するように表示ユニット２０が本体１ａに収納されているときの表示ユニット２０の位置を、「第１の位置」と定義する。この状態では、外装カバー２２のフォロワ部が、側面カバー６０，６１に形成された凹形状部６０ｂ，６１ｂにそれぞれ係合する。
【００４７】
図５（ｂ），（ｃ）に図示するように、表示ユニット２０を構成する外装カバー２２の上部及び下部にはそれぞれ、突起形状部２２ａ及び窪み形状部２２ｂが形成されている。突起形状部２２ａ及び窪み形状部２２ｂはそれぞれ、表示ユニット２０を回転させる際に、指掛かりとして機能する。外装カバー２２において、突起形状部２２ａの両脇（外装カバー２２の上部両端近傍）には、切り欠き部２２ｃが設けられており、切り欠き部２２ｃからカバー部材２８，２９の一部が露出している。前述した通り、カバー部材２８，２９の露出部には、外装カバー２２と同じ表面処理又はシボ加工が施されている。
【００４８】
図５（ｃ）に図示するように、フレキ板２５の第１の折り返し部２５ｄは、表示部２１とアームプレート３２とに挟まれて収納されている。線バネ６５のフレキ板付勢部６５ａは、フレキ板２５の第１の折り返し部２５ｄを矢印Ｔ方向へ付勢している。そのため、図５（ｂ）に図示するように、フレキ板２５の上部の第２の折り返し部２５ｅにて、第２の折り返し部２５ｅが膨らむことがない。本実施形態では、表示ユニット２０がどのような状態であっても、フレキ板２５の撓みを防止することができるので、表示ユニット２０の内部でフレキ板２５が暴れ、断線することがない。
【００４９】
図６（ａ）は、デジタルカメラ１の本体１ａに対して表示ユニット２０を回転軸Ａ回りに回転させるために、表示ユニット２０を第１の位置（収納位置）から移動させたときのデジタルカメラ１の背面側斜視図である。図６（ｂ），（ｃ）は、図６（ａ）中の矢視Ｄ−Ｄ断面図であり、図６（ｂ）は表示ユニット２０及びヒンジユニット３０の上側部分を、図６（ｃ）は表示ユニット２０及びヒンジユニット３０の下側部分をそれぞれ示している。
【００５０】
表示ユニット２０を回転軸Ａ回りに回転させる際には、図６（ａ）に図示するように、外装カバー２２に形成された窪み形状部２２ｂに指を掛け、表示ユニット２０の下側を撮影者側に引き出す。このとき、外装カバー２２のフォロワ部と側面カバー６０，６１に形成される凹形状部６０ｂ，６１ｂとの係合が外れ、ヒンジユニット３０のトーションバネ３４が表示ユニット２０に作用する。外装カバー２２のフォロワ部と凹形状部６０ｂ，６１ｂとの係合が外れると、外装カバー２２のフォロワ部が側面カバー６０，６１に形成される傾斜部６０ａ，６１ａ上をそれぞれ摺動する。このとき、スライドプレート３３に固定されたストッパ部材３７がアームプレート３２に固定された係止ピン３５に当接するまで、スライドプレート３３がアームプレート３２に対してスライドする。これによって、表示ユニット２０は矢印Ｐ方向にスライドする。表示ユニット２０は、図６（ａ）に図示する状態で、デジタルカメラ１の上方側の回転軸Ａを中心に回転させることができる。
【００５１】
表示ユニット２０が矢印Ｐ方向にスライドすると、図６（ｃ）に図示するように、フレキ板２５の第１の折り返し部２５ｄは、線バネ６５のフレキ板付勢部６５ａの付勢力に抗して矢印Ｐ方向とは逆方向となる矢印Ｕ方向に移動する。
【００５２】
図７（ａ）は、図６（ａ）に図示する状態から表示ユニット２０をデジタルカメラ１の本体１ａに対して回転軸Ａ回りに略１８０°回転させた状態を示す背面側斜視図である。図７（ｂ）は、図７（ａ）中の矢視Ｅ−Ｅ断面図であり、回転軸Ａ近傍の構造を示している。
【００５３】
図７（ａ）に図示する状態では、表示ユニット２０の表示部２１がデジタルカメラ１の本体１ａの正面側を向く。この状態は、所謂、自分撮り撮影に適した状態であり、このときの表示ユニット２０の位置を「第２の位置」と定義する。なお、表示部２１が本体１ａの正面側を向く回転の途中で、ＧＭＲ素子がマグネット２７の位置を検出して画面表示の切り替えスイッチが動作し、表示部２１に表示される画像（映像）の上下が反転する。
【００５４】
図７（ｂ）に図示するように、この状態では、フレキ板２５の第２の折り返し部２５ｅが展開される。このとき、アームプレート３２に取り付けられるフレキカバー７０（図３参照）によって、展開された第２の折り返し部２５ｅが回転軸Ａの中心近傍に位置するように案内される。表示ユニット２０を図７（ａ）に図示する状態から図６（ａ）に図示する状態に回転させると、フレキ板２５の第２の折り返し部２５ｅは、図７（ｂ）に図示する状態から図６（ｂ）に図示する状態となる。この場合にも、フレキ板２５はフレキカバー７０の先端に沿って折り曲げられる。そのため、フレキ板２５に対して表示ユニット２０の内部から引き出される方向に力が作用することなく、フレキ板２５は第２の折り返し部２５ｅにて折り曲げられる。
【００５５】
なお、表示ユニット２０が第２の位置にあるとき、フレキカバー７０は、フレキ板２５が外観に露出する面積を減少させる役割を担っている。これにより撮影者が不意にフレキ板２５に触れる等して信号線に断線が生じる等の不具合の発生を防止することができる。
【００５６】
本実施形態では、第１の位置にある表示ユニット２０は回転軸Ａから遠ざかる方向にスライドさせた後に、回転軸Ａ回りに回転させている。そのため、デジタルカメラ１の本体１ａの上面にアクセサリシュー１０等が配置されていても、デジタルカメラ１を正面から見たときにアクセサリシュー１０等によって表示部２１の一部が隠れることなく、撮影者は表示部２１全体を視認することができる。
【００５７】
表示ユニット２０を図６（ａ）に図示する状態から図５（ａ）に図示する状態に回転させると、フレキ板２５の第２の折り返し部２５ｅは、図６（ｂ）に図示する状態から図５（ｂ）に図示する状態となる。また、フレキ板２５の第１の折り返し部２５ｄは、図６（ｃ）に図示する状態から図５（ｃ）に図示する状態となる。フレキ板２５の第１の折り返し部２５ｄは、線バネ６５のフレキ板付勢部６５ａによって矢印Ｔ方向に付勢されているので、フレキ板２５の第１の折り返し部２５ｄは矢印Ｔ方向に引き込まれ、フレキ板２５の撓みが解消される。これによって、フレキ板２５の上側の第２の折り返し部２５ｅは、図５（ｂ）に図示するように、フレキカバー７０の先端に沿った状態となり、第２の折り返し部２５ｅが膨らむことがない。本実施形態では、表示ユニット２０がどのような状態であっても、フレキ板２５の撓みを防止することができるので、表示ユニット２０の内部でフレキ板２５が暴れ、断線することがない。
【００５８】
また、デジタルカメラ１は、表示ユニット２０を回転軸Ｂ回りに回転させることができる。図８（ａ）は、デジタルカメラ１において表示ユニット２０を回転軸Ｂ回りに回転させた状態を示す背面側斜視図である。図８（ｂ）は、図８（ａ）中の矢視Ｆ−Ｆ断面図である。
【００５９】
表示ユニット２０を構成する外装カバー２２の上部に設けられた突起形状部２２ａに指を掛け、矢印Ｖ方向に表示ユニット２０の上側を引き起こすと、ヒンジユニット３０の下側に設けられた回転軸Ｂ回りに表示ユニット２０を回転させることができる。
【００６０】
表示ユニット２０を回転軸Ｂ回りに回転させたときには、フレキ板２５は第３の折り返し部２５ｆの折り返し状態が変化だけで、フレキ板２５に不要な張力が掛かることはなく、撓みが生じることも殆どない。
【００６１】
次に、図９を参照して、表示ユニット２０の変形例である表示ユニット２０ａについて説明する。表示ユニット２０ａと組み合わせられるヒンジユニット３０は上述したものと同じであるため、ここでの詳細な説明を省略する。
【００６２】
図９（ａ）は、ヒンジユニット３０と表示ユニット２０ａとの位置関係を示す分解斜視図である。図９（ａ）では、表示ユニット２０ａについては、背面遮光カバー２４がヒンジユニット３０に取り付けられた状態が示されており、また、表示部２１の図示を省略している。
【００６３】
背面遮光カバー２４には、表示ユニット２０ａをスライドさせた際に生じるフレキ板２５の撓みを吸収する第１の折り返し部２５ｄを下方向へ付勢する付勢部材の一例としての略コの字型のゴム（弾性部材）６６が配置されている。図９（ｂ）は、ゴム６６の概略構造を示す斜視図である。ゴム６６は、フレキ板付勢部６６ａと、ゴム６６を背面遮光カバー２４に組み込むための取り付け部６６ｂとからなる。
【００６４】
フレキ板付勢部６６ａは、フレキ板２５の第１の折り返し部２５ｄに接触するため、角Ｒが設けられている。取り付け部６６ｂは、背面遮光カバー２４に圧入により取り付けられた状態で位置決めされており、容易に脱落し或いは外れることはない。前述した付勢部材の一例としての線バネ６５は、第１の折り返し部２５ｄを下方向へ押圧することによってフレキ板２５が撓まないように構成した。これに対して、ゴム６６は、第１の折り返し部２５ｄを下方向（Ｔ方向）へ引っ張ることによってフレキ板２５が表示ユニット２０ａの内部で撓まないように構成している。すなわち、ゴム６６は、第１の折り返し部２５ｄをＴ方向へ付勢する第１の付勢部材として機能する。
【００６５】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、ヒンジユニット３０をコンパクトタイプのデジタルカメラ１に適用したが、これに限られるものではない。例えば、本実施形態に係るヒンジユニット３０の構造は、デジタル一眼レフカメラ、デジタルビデオカメラ等の他の撮像装置や携帯情報端末等の他の電子機器に適用することができる。
【符号の説明】
【００６６】
１    デジタルカメラ（撮像装置）
１ａ    本体
２０    表示ユニット
２１    表示部
２２    外装カバー
２５    フレキシブルプリント基板（フレキ板）
２５ｄ    第１の折り返し部
２５ｅ    第２の折り返し部
３０    ヒンジユニット
３１    ベースプレート
３２    アームプレート
３１ｃ    ベースプレート開口部
３２ｃ    凹形状部
３３    スライドプレート
３３ｃ    スライドプレート開口部
３４    トーションバネ
６５    線バネ
６６    ゴム
【図１】
2015144363.tif 000003
【図２】
2015144363.tif 000004
【図３】
2015144363.tif 000005
【図４】
2015144363.tif 000006
【図５】
2015144363.tif 000007
【図６】
2015144363.tif 000008
【図７】
2015144363.tif 000009
【図８】
2015144363.tif 000010
【図９】
2015144363.tif 000011
【図１０】
2015144363.tif 000012